Podtech/llm-jp-corpus-v4-ja_patent huggingface dataset:
(57)【要約】【課題】  簡単に、しかも、安価にマスクの外観上の問題と匂いの問題とを同時に解決することができる人体用不織布を提供すること。  【解決手段】  本発明に係る人体用不織布は、肌に直接接触させて用いる人体用不織布であって、植物を乾燥させた後に粉砕し、その粉末を適当な溶媒で溶かして溶液を製造し、前記溶液を前記人体用不織布の肌に直接接触しない側の面に塗布して成ることを特徴とする。【選択図】    図１
2006299449.tif 000002
【特許請求の範囲】
【請求項１】
肌に直接接触させて用いる人体用不織布であって、
植物を乾燥させた後に粉砕し、その粉末を適当な溶媒で溶かして溶液を製造し、
前記溶液を前記人体用不織布の肌に直接接触しない側の面に塗布して成る
ことを特徴とする人体用不織布。
【請求項２】
人体用不織布の一方の面全面に前記溶液を塗布して成る
ことを特徴とする請求項１に記載の人体用不織布。
【請求項３】
人体用不織布の一方の面に適当なデザインを描くように前記溶液を塗布して成る
ことを特徴とする請求項１に記載の人体用不織布。
【請求項４】
前記不織布が、美容院において洗髪時に洗髪される者の顔を覆うために用いられる
ことを特徴とする請求項１〜３の何れか一項に記載の人体用不織布。
【請求項５】
前記不織布が、マスクとして用いられる
ことを特徴とする請求項１〜３の何れか一項に記載の人体用不織布。
【発明の詳細な説明】
【技術分野】
【０００１】
本発明は、人の肌に直接接触させて用いられる人体用不織布に関する。
【背景技術】
【０００２】
近年、春先に大量に発生する花粉により花粉症を疾患する患者が増大している。花粉症とは、花粉によって起こるアレルギー性疾患であり、くしゃみ、鼻水、目のかゆみ等が主な症状である。
花粉症の患者の増大に伴い、マスクを装着する者が非常に増えてきているが、殆どのマスクは白い布で作られている。マスクは顔に装着するものなので、単に白い布で作られたマスクは、装着する者の外観を著しく損なわせる。このため、外観上の問題からマスクを装着することを苦にする者が多い。
また、マスクには特有の匂いがあり、この匂いを苦にする者も多い。
上記した外観上の問題を解決するために、マスクを着色したり、マスクの表面に適当なデザインを描いたマスクが提案されている。
また、匂いの問題を解決するために、香り付きのマスクも提案されている。
【発明の開示】
【発明が解決しようとする課題】
【０００３】
上記したように、外観上の問題を解決するマスクや匂いの問題を解決するマスクは、それぞれ提案されているが、外観上の問題と匂いの問題とを同時に解決することができるマスクは未だ提案されていない。
また、従来提案されている香り付きのマスクは、二枚の不織布の間に香料剤を入れるように構成されているが、このような構成では、マスク自体の構成が複雑になり、マスクのコストが高くなる。マスクは、消耗品であり、特に、花粉症の患者は、春先に多くのマスクを使用するためマスク自体のコストが高くなるのは好ましくない。
また、通常のマスクに、香料剤を噴霧してマスクに香りを付けるスプレー式の香料剤も販売されているが、これはスプレー式の香料剤の分だけマスクのコストが高くなるのは勿論のこと、マスクに自ら香料剤を噴霧しなければならないので、面倒であるという問題もある。
この出願の発明者は、上記した従来のマスクの問題について研究を重ね、この問題は、マスクだけに止まらず、例えば、美容室において洗髪時に洗髪される者の顔に載せるタオル等についても外観上の問題と匂いの問題とが同様に生じていることに着目した。
この出願は、上記した従来の問題を解決し、簡単に、しかも、安価にマスクの外観上の問題と匂いの問題とを同時に解決することができる人体用不織布を提供することを目的としている。
【課題を解決するための手段】
【０００４】
上記した目的を達成するために本発明に係る人体用不織布は、肌に直接接触させて用いる人体用不織布であって、植物を乾燥させた後に粉砕し、その粉末を適当な溶媒で溶かして溶液を製造し、前記溶液を前記人体用不織布の肌に直接接触しない側の面に塗布して成ることを特徴とする。
前記溶液は、人体用不織布における肌に直接接触しない側の面全体に塗布してもよく、また、必要に応じて、適当なデザインを描くように塗布してもよい。
上記したように構成された不織布は、美容室において洗髪時に洗髪される者の顔を覆うために用いることができ、また、マスクとして用いることもできる。
【発明の効果】
【０００５】
本発明に係る人体用不織布は、肌に直接接触させて用いる人体用不織布であって、植物を乾燥させた後に粉砕し、その粉末を適当な溶媒で溶かして溶液を製造し、前記溶液を前記人体用不織布の肌に直接接触しない側の面に塗布して成るので、不織布に香りと色を同時に付けることができる。このため、簡単に、しかも、安価に、外観が良く、香りが付いた不織布が提供できるという効果を奏する。
また、溶液の材料として植物を使用するため、人体に害がなく、また、使用する植物を適宜選択することにより、様々な香りや色を付けることができる。
さらに、使用する植物を適宜選択することにより、その香りにより鎮静効果や入眠効果等、様々な効果を得ることも可能である。
美容室では、外観が悪い、縁起が悪い、又はタオル特有の匂いが気になる等の外観上及び匂いの問題により、洗髪時に顔にタオルを載せるのを嫌がる客が多いが、上記したように構成した人体用不織布を用いれば、外観がよく、また、匂いも良いため上記した問題が全て解決され、客に嫌な思いをさせることがなくなる。
また、外観の問題とマスク特有の匂いの問題に悩まされている者が多いが、上記したように構成した人体用不織布を用いれば、外観がよく、また、匂いも良いため上記した問題が全て解決され、マスクを装着する者に無用な精神的負担をかけることがなくなる。
【発明を実施するための最良の形態】
【０００６】
以下、添付図面に示した一実施例を参照して本発明に係る人体用不織布の実施の形態について説明していく。
【０００７】
図１は、本発明に係る人体用不織布の製造工程を示すブロック図である。
始めに、材料となる植物を乾燥させる。材料となる植物は、匂いと色、必要に応じて、心理的及び／又は医療的効果に基づいて適宜選択される。
例えば、みかんの皮を材料に用いると、黄色やオレンジの色と共に、みかんの香りを不織布に付けることができ、さらに、眠気をさまし頭をすっきりさせる覚醒効果が得られる。
また、茶の葉を材料に用いると、緑や茶の色と共に、茶の香りを不織布に付けることができ、さらに、茶の種類によっては、鎮静効果等の様々な効果が得られる。
さらにまた、バラの花びらを材料に用いると、バラの花びらに応じた色と共に、バラの花の香りを不織布に付けることができる。
次に、乾燥させた材料を粉砕して粉末を作り、その粉末を適当な溶媒で溶かして溶液を作る。
最後に、製造した溶液を、不織布の肌に接触しない側の面に塗布する。
溶液の塗布は、面全体に行ってもよいが、必要に応じて、外観をさらに良くするために、適当なデザインを描くように塗布してもよい。
【図面の簡単な説明】
【０００８】
【図１】本発明に係る人体用不織布の製造工程を示すブロック図である。
【図１】
2006299449.tif 000003
(57)【要約】【課題】  従来の女性用脇汗取りパッドは、固定方法が不完全なために汗染みを防げず、また固定方法が粘着テープなどを使用する場合は服地を傷め、袖からはみ出したり、上着に貼り付けた場合は脱ぐ際に他人に見えたりするなどの外観的問題、また装着に不快感を伴うなどの問題があった。【解決手段】  吸水材を挟んだ紙製の脇汗取りパッドに肩に通す輪を付け、女性が普段着用するアンダーウエアの脇ベルトに製品の一部を差し込んで固定できる部品を作ることで、製品を脇部に密着させ、汗取りの効果を高めて汗染みを防ぐ。また、使い捨てを可能にし、衛生的で快適な付け心地を得られる。装用者が服に合わせて形状を変更することも簡単にできる。【選択図】  図１
2006299491.tif 000002
【特許請求の範囲】
【請求項１】
高分子吸収体を内側に挟んだ紙製のシートに、手を通し肩にかけるための伸縮テープの輪と、アンダーウエアに挟む用に供する細長い長方形の部品を設けた、女性用の脇部汗取りパッド。
【発明の詳細な説明】
【技術分野】
【０００１】  本発明は、女性の服の汗染み防止、また脇部の発汗時の不快感軽減のためのパッドに関する。
【背景技術】
【０００２】  従来の女性用脇汗取りパットは、服の脇部裏側に貼り付けるもの、２本のひもを付けてアンダーウエア（ブラジャー）のストラップに連結するもの、などが商品化されている。
【発明の開示】
【発明が解決しようとする課題】
【０００３】  以上に述べた従来の製品では、汗取りパットの固定が十分でなく、ずれが生じる結果、汗染みの防止の効果は十分に得られていない。また効果を高めるためにサイズを大きくすれば短めの袖などでは袖口からはみ出してしまい、上着の脇部裏地に貼り付けるものは上着を脱いだ時に本来隠して使うパッドが他人に見えてしまい、またはがしかたによっては服地にのりが残るという欠点があった。【０００４】  本発明は、このような従来の製品が有していた構造上の問題を解決しようとするものであり、製品の固定を確実にすることで、確実な汗取りの効果をあげようとするものである。
【課題を解決するための手段】
【０００５】  本発明は、伸縮テープの輪を肩に通し、細長い部品の端をアンダーウエア（ブラジャー）の脇ベルト下に通すことで、確実に製品を固定できるようにし、汗染みを防止する。【０００６】  また、紙製とすることで、交換を簡便にし、使い捨てが可能となり衛生を保てる。【０００７】  加えて装着時の袖側に該当する部分がはさみなどで自在に切り取れ、服のデザインや袖の長さに合わせることが可能となる。【０００８】  固定が確実になる結果、製品の大きさは小さくて済み、外見上目立たなくできる。
【発明の効果】
【０００９】  上述したように、本発明の女性用脇汗取りパッドは、女性が通常着用するアンダーウエア（ブラジャー）を固定に利用することにより、効果的な吸汗を可能にし、高い利便性と快適性を得られる。
【発明を実施するための最良の形態】
【００１０】  本発明の形態を図１基づいて説明する。【００１１】    図１は平面図。高分子吸収体を脇の形に添うよう雪だるま形に成形し（図１の１）、ほぼ相似形に長方形の部品（図１の３）を残した形に切り取った吸水性の紙と防水紙で挟み、圧着する（図１の２）。高分子吸収体は形を保つため、ステッチ（図１の５）を入れて固定し、また装着時の折れ線とする。とりつけた伸縮テープ（図１の４）は、腕に通して体に固定するのに適した、衣服の上から見て目立たない幅・厚みとする。
【産業上の利用可能性】
【００１２】  既に数種類の先行品が商品化されているが、固定方法において画期的な本発明は、先行品に代わり市場に受け入れられる見通しがある。
【図面の簡単な説明】
【００１３】
【図１】平面図
【符号の説明】
【００１４】１  高分子吸収体
２  表は吸水性の良い紙製、裏は防水紙
３  ブラジャーの脇ベルトに差し込む部分
４  伸縮テープ。手を通し肩にかける
５  高分子吸収体を押さえるステッチ
【図１】
2006299491.tif 000003
(57)【要約】【課題】認知症等の問題を抱えた患者が分からずに、胃ろうチューブを引き抜くなどの事故を防ぐのが目的。【解決手段】介護服本体に胃ろうチューブ用開口部を作り、その開口部を患者の手に触れないようにポケットを装着する。そしてさらに、ポケット開口用のファスナー持ち手を収納する為のポケットを装着する。【選択図】          図１
2006299496.tif 000002
【特許請求の範囲】
胃ろう用ポケットを付ける事により、介護時に患者の身体的負担を軽減するようにした介護服。
【発明の詳細な説明】
【発明の詳細な説明】
【技術分野】
【０００１】経管医療（胃ろう）の保護
【背景技術】
【０００２】従来の予防服はつなぎ服（後ファスナー）であり、前面にポケット等無く胃ろう患者にとっては不便に出来ている。
【発明が解決しようとする課題】
【０００３】認知症等の問題を抱えた患者が分からずに、胃ろうチューブを引き抜くなどの事故が起こっている現状があり、胃ろうチューブが外れた時の生命の維持（栄養摂取が出来ない）が図れない、又は再び胃ろうを開ける手術施行が必要となるなど、患者の生命を保護する目的。
【課題を解決するための手段】
【０００４】介護服本体に胃ろうチューブ用開口部を作り、その開口部を患者の手に触れないようにポケットを装着する。そしてさらに、ポケット開口用のファスナー持ち手を収納する為のポケットを装着する。
【発明実施の形態】
【０００５】以下、本発明の実施の形態について説明する。
（イ）．介護服の胸部に胃ろうチューブを通す為の穴を開ける。開口部を覆うようにポケットを縫いつけ、右上から左下に開口するようにファスナーを取り付ける。
（ロ）．ファスナー全閉時にファスナー持ち手を収納するために、収納口部分を除いて縫い付ける。
【発明の効果】
【０００６】患者の身体的負担の軽減が図られる。
予防着を脱ぎ、胃ろう部にチューブ着脱する行為が患者に与える身体的負担を考えると前面に設置したポケットのファスナーの開閉だけでチューブ着脱が出来る容易さが身体的負担の軽減が図られる。
【図面の簡単な説明】
【図１】本説明の正面図である。
【図２】ポケットの拡大図である。
【符号の説明】
１  介護服本体
２  ポケット
３  ファスナー持手収納用ポケット
４  胃ろうチューブ用開口部
【図１】
2006299496.tif 000003
【図２】
2006299496.tif 000004
(57)【要約】      （修正有）【課題】  肢体不自由者（中でも片手不自由者、片手片足併合不自由者）、高齢者、幼児でも片手で着脱できる携帯用着装雨具を提供する。【解決手段】  着装雨具（合羽、ポンチョ等）の首部にＵ字形又は、Ｃ字形弾性成型物を取り付ける。又は、着装雨具の首部にＵ字形又は、Ｃ字形の弾性成型物を一体成型する。前合わせのマジックテープ（登録商標）を取り付ける。折りたたみ容器に袋部を設ける。バンド通しを設ける。保持用マジックテープを取り付ける。以上から構成し、着装雨具を丸めてたたみ、折りたたみ容器の袋部に収納する。その容器をバンド又は、紐に通して携帯する携帯用着装雨具である。【選択図】  図１
2006299495.tif 000002
【特許請求の範囲】
【請求項１】
着装雨具（１）の首部（３）にＵ字形弾性成型物（２−１）を取り付けた着装雨具（１）をベルト（７）、開口部（８）、マジックテープ（９）、袋（６−１）で構成する容器（６）に収納した携帯用着装雨具。
【請求項２】
Ｕ字形弾性成型物（２−１）をＣ字形弾性成型物とした請求項１の携帯用着装雨具。
【請求項３】
請求項１、請求項２の弾性成型物を着装雨具（１）に一体成型した請求項１の携帯用着装雨具。
【発明の詳細な説明】
【発明の詳細な説明】
【０００１】［産業上の利用分野］肢体不自由者、高齢者、幼児の携帯用着装雨具となる。
【０００２】［従来の技術］従来の携帯用着装雨具は柔軟材で出来ている為、肢体不自由者、高齢者、幼児の着脱は困難である。特に片手、片手片足併合不自由者には着脱は無理である。
【０００３】［発明が解決しようとする課題］肢体不自由者特に片手、片手片足併合不自由者、高齢者、幼児でも片手で着脱可能とする事である。
【０００４】［課題を解決するための手段］着装雨具（合羽、ポンチョ等）の首部にＵ字形又は、Ｃ字形弾性成型物を取り付ける。Ｕ字形又は、Ｃ字形弾性成型物を着装雨具に一体成型する。Ｕ字形又は、Ｃ字形弾性成型物を取り付けた。又は、一体成型した着装雨具を折りたたみ容器の袋部分に収納する。収納袋部が内側に成る様に容器を折りたたみ保持する。容器の外側部分にベルト通しの開口部を設け、その開口部にベルトを通して腰に装着し携帯する。又は、折りたたみ容器に紐又は、バンドを付けて肩から提げて携帯する。
【０００５】［作用］着装雨具（合羽、ポンチョ等）の首部にＵ字形又は、Ｃ字形弾性成型物を取り付ける。又は、一体成型する。そのＵ字形又は、Ｃ字形の弾性成型物部分を首に掛け雨具を羽織る事が出来る。掛けられた雨具は開いた状態で肩を覆い、首を基点に回転移動する事が出来、袖に手、腕を通し易く成る。袖に通した手で雨具の身支度が出来る。脱ぐ時は、前合わせのボタン、マジックテープ等を外し、それから袖の腕、手を順に抜き、抜いた手でＵ字形又は、Ｃ字形の弾性成型物部分を持ち、首から外して雨具を脱ぐ事が出来る。脱いだ雨具は、ベルトに取り付けた折りたたみ容器にＵ字形又は、Ｃ字形の弾性成型物取り付け部分を芯にして丸める。その丸めた物を容器袋内に入れる。折りたたんだ容器が開放しない様に容器取り付けのマジックテープを接着し保持する。使用する時は、折りたたんだ部分を開き袋内の雨具を取り出す。丸めてある雨具を解して広げ、前記の要領にて着装する。丸めてあるものを解す際は開いた容器の上で行う。特に使用後の濡れた物をこの方法で行う事で衣服の汚れを防止する事が出来る。Ｕ字形又は、Ｃ字形弾性成型物を取り付ける事によりフードは風の影響を受け難いものである。
【０００６】［実施例］ビニール雨具（１）の首部（３）にＵ字形弾性成型物のプラスチック板（２−１）を開口部がビニール雨具（１）の前会わせ側と成る様にし、Ｕ字形プラスチック板（２−１）全体を接着剤付布（２−２）で被覆固定する。ビニール雨具（１）の前会わせ用として、着脱の容易なマジックテープ（５）を取り付ける。折りたたみ容器（６）にビニール雨具（１）収納用の袋部（６−１）を設ける。ベルト（７）通し用開口部（８）を設ける。容器（６）を折りたたんだ状態で保持するマジックテープ（９）を取り付ける。使用方法は、第４図の状態で携帯したビニール雨具（１）を第５図の様に折りたたみ容器（６）を開き、袋部（６−１）よりビニール雨具（１）を片手で取り出す。丸められて取り出されたビニール雨具（１）を開いた折りたたみ容器（６）上に押し付ける様にして回し解して広げる。広げたビニール雨具（１）のＵ字形プラスチック板（２−１）取り付け部（２）を持ち、Ｕ字形プラスチック板取り付け部（２）を肩越しに首に掛けビニール雨具（１）を肩に羽織る。羽織ったビニール雨具（１）の袖に自由な手及び腕を通す。不自由な手、腕はビニール雨具（１）内に保持する。通した自由な手で前合わせのマジックテープ（５）を下側より接着し身支度をする。首元のマジックテープ（５）はフード（４）を被った後に行う。ビニール雨具（１）を脱ぐ時は、着用の時と逆の順番で行う。外したビニール雨具（１）は第５図の開いた折りたたみ容器（６）上に押し付ける様に回して、Ｕ字形プラスチック板（２−１）取り付け部（２）を芯にして丸めてたたむ、小さく成った物を折りたたみ容器（６）の袋部（６−１）に収納する。収納後は第４図としてベルト（７）に通し携帯する。Ｕ字又は、Ｃ字形弾性成型物（２−１）の材質は、ゴム、プラスチック、ナイロン、ビニール、金属、ウレタン、木、紙、布等が適している。Ｕ字又は、Ｃ字形弾性成型物（２−１）を雨具（１）取り付ける用材及び、取り付け方法としては接着、縫製、金具、ビニール、フイルム、布、ゴム、プラスチック等で直接又は、間接的に取り付ける。その他雨具（１）と同じ材質で一体成型する等がある。折りたたみ容器（６）の携帯方法として、ベルト通し（８）に紐又は、バンドを通して肩から提げる。折りたたみ容器（６）に紐、バンド等を直接取り付け肩から提げる事も出来る。
【図面の簡単な説明】第１図  着装雨具全体斜視図第２図  Ｕ字形弾性成型物斜視図第３図  Ｕ字形弾性成型物固定被覆斜視図第４図  折りたたみ容器携帯時斜視図第５図  折りたたみ容器開時正面斜視図第６図  折りたたみ容器開時裏面斜視図
【符号の説明】
１、    ビニール雨具  ２、    Ｕ字形弾性成型物内臓被覆帯  ２−１、Ｕ字形弾性成型物  ２−２、Ｕ字形弾性成型物固定被覆  ３、    首部  ４、    フード  ５、    マジックテープ  ６、    折りたたみ容器  ６−１、袋部  ７、    ベルト  ８、    ベルト通し  ９、    マジックテープ
【図１】
2006299495.tif 000003
【図２】
2006299495.tif 000004
【図３】
2006299495.tif 000005
【図４】
2006299495.tif 000006
【図５】
2006299495.tif 000007
【図６】
2006299495.tif 000008
(57)【要約】【課題】販売促進目的に使用するための、自動式拍動機能を有する帽子を提供する。【解決手段】帽子が、自動的に運動する２つの手１をまびさしに備え、該帽子が、催し物や販売促進目的に使用される。【選択図】図２
2006299497.tif 000002
【特許請求の範囲】
【請求項１】
山及びまびさしを有するモータ駆動式おもしろ帽子において、
電動モータ（図３の符号１）によって駆動される機構により作動する、まびさし両側の２つの可動部材を特徴とする、山及びまびさしを有するモータ駆動式おもしろ帽子。
【請求項２】
前部布片の内側に取り付けられ、適当な剛度と位置が得られるように可動部材内へ挿入されたプラスチックストリップによって構成される、戻しばねとして作用する部材を特徴とする、請求項１に記載されたモータ駆動式おもしろ帽子。
【請求項３】
２本のナイロン糸から成りモータから可動部材へ運動を伝達するシステムが２本の糸から成り、該糸が、可動部材とモータ軸とに結合され、モータ軸に巻き取られることで可動部材を接近させ、モータが停止すると、該糸が、プラスチックストリップにより加えられる張力によって繰り出されることを特徴とする、請求項１又は請求項２に記載されたモータ駆動式おもしろ帽子。
【請求項４】
モータの励起と脱励起とに使用される小型プリント回路（図３の符号３）が、まびさし上方前部に配置された作動機構の小箱内に収容されており、該プリント回路が、モータの周期的な励起及び脱励起用の、２個の中電力トランジスタを使用するマイクロコントローラに基づくことを特徴とする、請求項１から請求項３までのいずれか１項に記載されたモータ駆動式おもしろ帽子。
【請求項５】
前記明細書の記載及び添付図面に従ってユニットが形成される、請求項１から請求項４までのいずれか１項に記載されたモータ駆動式おもしろ帽子。
【発明の詳細な説明】
【技術分野】
【０００１】
本発明は、何らかの種類の販売促進目的に使用される自動運動の一変化形が組み込まれた標準型帽子に関するものである。
【背景技術】
【０００２】
可動式、非可動式の多くの異なる種類の帽子が販売促進目的で使用されるが、完全自動式の拍動機能を有する帽子は、これまで存在しなかった。
【発明の開示】
【発明が解決しようとする課題】
【０００３】
完全自動式の拍動機能を有する帽子を提供する。
【課題を解決するための手段】
【０００４】
野球帽型のまびさし（眉庇）付き木綿ズック製帽子の場合に、２つの突出する可動部材が、まびさしの各側の２つの前部布片の、まびさし縁と平行な縫い目に縫い付けられている。この製品は、もっぱら販売促進用のおもしろ帽子と考えることができる。
【発明を実施するための最良の形態】
【０００５】
異なる部材の操作及び位置の理解を助けるため、若干の図面を添付する。
可動部材は、互いに対向縫い付けされた２つの布片で作られ、硬さと、手に似た形又は意図する販売促進目的に応じた別の形とが与えられるように、発泡材料その他の材料を詰め込まれてバッグを形成している（図２参照）。
【０００６】
使用者の前額部の風通しをよくするため２つの前部布片内側に別のメッシュ織物が縫い付けられている。前部布片とメッシュ織物との間には、Ｕ字形プラスチック（ポリカーボネート）ストリップが挿入され、該ストリップのアームが前部の各側の縫い目から外部へ延びている。これらの２つのインサートは、可動部材の先端内へサンドイッチ状に挟み込まれることで、剛度が保たれ、かつほぼ水平に維持され、また拍手運動がシミュレートされる場合には、戻しばねとして作用する。
まびさしの頂部には、可動部材の作動機構と、バッテリと、プリント回路とを収容する小箱が、両手の間に取り付けられ、帽子（外側）の前部に固定されている（図１参照）。
【０００７】
可動部材の作動は、玩具に用いられる類の小型の直流電動モータによって行われる。パルスは電子デバイスを介してモータへ送られ、それにより、可動部材が手の場合には、拍手動作がシミュレートされ、又は販売促進目的に使用される部材が動作せしめられる。
拍動動作は、可動部材（手又は何かの）に一端が結合されたナイロン糸を介して実現されるが、該ナイロン糸は、作動機構の小箱両側の穴に通され、他端が固定されたモータ軸に巻き取られる。モータが励起されると、糸は巻き上げられ、モータが脱励起されると、糸は繰り出され、ポリカーボネート製インサートにより得られる弾性的なばね効果により、手が開く（図３参照）。
【０００８】
可動部材の運動経路は、帽子および宣伝材料内に挿入されたプラスチックストリップによって加えられる力を克服するのに十分な直径のナイロン糸によって制限される。
制御電子装置は、モータが励起および脱励起される回数を制御するマイクロコントローラの基づいている。このマイクロコントローラは、また作動機構が操作される度に、つまり広告会社の指定に従って予め定められた連続的な周期で拍動周期の回数を制御するが、この連続的な周期は、作動機構が停止する前に完了し、モータと可動部材とを自動的に休止位置におく。
【０００９】
作動機構を動作させるために選択された当初の解決策は、まびさし縁部に取り付けられた膜スイッチである。さらに開発が進めば、声が出せるマイクロフォンを特徴にすることもできよう。
拍動運動に要するエネルギーは、小箱内に配置された２個の乾電池（１．５ｖ）によって得られ、小箱内へは、その蓋のスナップ式タブを開けることで容易に接近できる。
【図面の簡単な説明】
【００１０】
【図１】本発明の実施例の前面図。
【図２】本発明の実施例の斜視図。
【図３】動力ユニットの斜視図。
【符号の説明】
【００１１】
１  図１の可動部材、図３の電動モータ
２  図２の作動機構ボックス、図３の乾電池
３  図３のプリント回路
【図１】
2006299497.tif 000003
【図２】
2006299497.tif 000004
【図３】
2006299497.tif 000005
【外国語明細書】
2006299497.tif 000006
2006299497.tif 000007
2006299497.tif 000008
2006299497.tif 000009
2006299497.tif 000010
2006299497.tif 000011
2006299497.tif 000012
(57)【要約】【課題】しなやかさを損なわない状態で厚みを増し、ボリュームを大きくする事で豪華さを演出できるショールを提供する。【解決手段】矩形の布1の辺に対して角度を有する皺線5を複数入れ、皺線5は山皺線3と谷皺線4とを交互に繰り返す事で蛇腹折状態になって皺2を形成し、皺2の波筋はＶ屈部6の箇所でＶ字状に屈折し、Ｖ屈部6は境線7によって形成され、Ｖ屈部6の頂部を摘んで吊り下げる事で、Ｖ屈部6の屈折が深くなる事と連動して皺線5の蛇腹折は深くなり、境線7で区分された二本の円筒形にカールする事でボリュームを増す。【選択図】  図１
2006299461.tif 000002
【特許請求の範囲】
【請求項１】
矩形の布1の辺に対して角度を有する皺2の形成を、山皺線3と谷皺線4とを交互に繰り返す皺線5の蛇腹折で行い、前記の皺2はＶ屈部6を境にしてＶ字状に屈折している事を特徴としたＶ屈皺加工ショール。
【請求項２】
Ｖ屈部6は同一直線上に直列する境線7で形成し、境線7は皺線5との交点を境界に、山境線8と谷境線9とを交互に繰り返す事を特徴とした請求項１記載のＶ屈皺加工ショール。
【発明の詳細な説明】
【技術分野】
【０００１】
本発明は、婦人が肩に掛けたり、首に軽く巻いて使用するショールに関する。
【背景技術】
【０００２】
従来のショールは、柔らかく肌触りのソフトな矩形の一枚布であった。
【発明の開示】
【発明が解決しようとする課題】
【０００３】
従来技術は一枚布であった事から、薄くてボリューム感に乏しい物であった。本発明では、厚みを増す事によってボリューム感を出し、しなやかさも損なわない、という課題の解決を目的とする。
【課題を解決するための手段】
【０００４】
蛇腹折の皺を布の辺に対して角度を有して入れ、前期の皺にＶ屈部を設けて、皺をＶ字状に屈折させる。
【発明の効果】
【０００５】
蛇腹折の皺によって、体感的な布の厚みは増し、布の辺に対して角度を有する皺なので、布の曲がりに方向性がなく、しなやかさも損なわない。
【発明を実施するための最良の形態】
【０００６】
最良の形態を、図１から図４を参照しながら、以下の実施例で説明する。
【実施例１】
【０００７】
図１は、深い蛇腹折状態正面斜視図であり、Ｖ屈部6のＶ字形状は屈折角を天にして表示する逆さ状態にし、折線の表示は実線とするが、山折線は細く、谷折線は太く表示し、天地に長い矩形の布1の辺に対して角度を有する皺線5を、山皺線3と谷皺線4との交互にする事で蛇腹折形状を成して皺2を形成し、前記の皺2の波筋を屈折させてＶ屈部6を設け、Ｖ屈部6は境線7によって形成し、境線7は同一の直線上に有し、皺線5を区切りにして、山境線8と谷境線9とを交互に繰り返して側方から見ると蛇腹状になり、山皺線3の下隣は谷境線9と成り、谷皺線4の下隣は山境線8と成り、Ｖ屈部6の最上部を摘んで引けば、Ｖ屈部6の屈折は更に深まり、Ｖ屈部6の屈折が深まるのと連動して、皺線5の蛇腹折も深くなって行くので布1の体感的厚みも増す事になり、境線7は同一線上に位置しているが、皺線5との交点で山谷の折線が交互に入れ替わって多数の折り目が存在しているので、境線7が布1のしなやかさを阻害する事はない。
【実施例２】
【０００８】
図２は、浅い蛇腹折状態正面斜視図であり、布1は天地方向である縦に長い矩形を成し、前記矩形の長さ割合は限定ではないが、左右幅と天地長は１：２の対比であるのが望ましく、皺線5は布1の辺に対して角度を有しており、前記角度は限定ではないが、側辺10に対して四十五度の角度で中央へ向けて上がって行く状態が望ましく、よって左右から上がって来た皺線5の合流点であるＶ屈部6は直角になる事が望ましい事になり、境線7は直線上に直列して、布1の左右中央を側辺10と平行に伸びる状態である事が望ましく、布1の上両側角へ向けて皺線5を同じ幅で入れ、境線7は布1の中央に一本だけ設けるのが望ましいのであるが、複数設けても良く、又、布1は天地方向に伸びる皺線を入れて蛇腹折にし、布1の天地の長さを更に延長して、その延長した領域に複数のＶ屈部6を左右に並列して設けても良い。
【実施例３】
【０００９】
図３は、吊り下げ状態斜視図であり、図１と図２では説明をし易くするために皺線5の間隔を広く、皺2の本数も少なくして図示したが、実用的には皺線5の間隔を詰めて、皺2の本数を多くする事が望ましく、よって図３以降は皺2の本数を多くして図示する事とし、Ｖ屈部6の頂部を摘んで全体を吊り下げれば、自重で側辺10が垂れ下がってＶ屈部6が深く屈折し、Ｖ屈部6の屈折が深くなる事と連動して皺線5の蛇腹折が更に深くなって、見た目上では皺線5の間隔が狭まり、摘んでいるＶ屈部6の真下に位置する境線7は背面方向へくびれ込み、布1の両側も又、背面方向へ回り込み、布1は境線7を線対称とする状態の二箇所でカールするので、二本の円筒状に丸まり、丸まった事でボリューム感が増し、クッション性としなやかさも加わる。
【実施例４】
【００１０】
図４は、使用状態斜視図であり、使用状態をマネキン11の首に掛けて図示しており、布1には複数の皺2を蛇腹折して形成した事で、布1自体の厚みを概観上増しており、又、布1を首に掛ける事は、同時に布1の両端が自重によって引っ張られる事と同様の作用となり、図３で示した状態にカールするのでボリュームが増して、豪華さを演出できる。
【図面の簡単な説明】
【００１１】
【図１】深い蛇腹折状態正面斜視図（実施例１）
【図２】浅い蛇腹折状態正面斜視図（実施例２）
【図３】吊り下げ状態斜視図（実施例３）
【図４】使用状態斜視図（実施例４）
【符号の説明】
【００１２】
１  布
２  皺
３  山皺線
４  谷皺線
５  皺線
６  Ｖ屈部
７  境線
８  山境線
９  谷境線
【図１】
2006299461.tif 000003
【図２】
2006299461.tif 000004
【図３】
2006299461.tif 000005
【図４】
2006299461.tif 000006
(57)【要約】【課題】濃縮酸素発生装置本体の吹出口に連結したチューブ及びエア吹き出し口は頭の両側をバネにて挟む方式で頭に固定するので、不安定である。又鼻の附近にエア吹き出し口がくるので邪魔で煩わしい。【解決手段】本案は濃縮酸素発生装置のチューブを鍔付き帽子の後より帽子の内側を通して、顔前のひさしの内側に吹き出し口が来るよう鍔付き帽子に固定し、吹き出し口にはノズルを着脱自在に設けてなる濃縮酸素発生装置用エア吹き出し口【選択図】  図１
2006299489.tif 000002
【特許請求の範囲】
【請求項１】
濃縮酸素発生装置の吹出口に連結したチューブ（１）を鍔付き帽子（２）の後部より挿入し、鍔付き帽子の内側を通して、顔前のひさし（３）の内側にチューブ先端のエア吹き出し口（４）を固定する。エア吹き出し口（４）にはノズル（５）を着脱自在に設けることを特徴とする濃縮酸素発生装置用エア吹き出し口。
【発明の詳細な説明】
【技術の分野】
【０００１】    本発明は、濃縮酸素発生装置のエア吹き出し口に関するものである。
【背景技術】
【０００２】    濃縮酸素発生装置は濃縮した酸素を本体の吹出口に連結したチューブの先にエア吹き出し口を設け、鼻及び口の附近に濃縮酸素を放出して肺呼吸を助ける装置である。従来のチューブ及びエア吹き出し口の固定はバネで頭の両側を挟みつけて本体に連結したチューブを固定し、その先にエア吹き出し口を設けてなるものである。
【発明の開示】
【発明が解決しようとする課題】
【０００３】    従来のチューブ及びエア吹き出し口の固定方法はバネで両側頭部を挟み付けて固定する、又は耳に掛ける、又は首に掛ける等の方法であるが、いずれも不安定である、又濃縮酸素のエア吹き出し口が鼻の附近に位置して邪魔で煩わしい。本案はエア吹き出し口を鍔付き帽子のひさしの内側に設けて上部より顔前に濃縮酸素を降り注いで呼吸を助けるものである。
【課題を解決するための手段】
【０００４】    本案は濃縮酸素発生装置の吹出口に連結したチューブ（１）を鍔付き帽子（２）の後部より挿入し、帽子の内側を通して、顔前のひさし（３）の内側にチューブ先端のエア吹き出し口（４）を固定する。エア吹き出し口（４）には必要に応じて各種ノズル（５）を着脱自在に設けて顔の前の方に濃縮酸素が降り注ぐようにする。
【発明の効果】
【０００５】    本案は鍔つき帽子の内側を通して、帽子にチューブを固定したので帽子にある帽子のサイズ調整装置にて頭に合った固定ができる。従来のバネで両側頭部を締め付ける固定方法に比べると帽子は頭の締め付けがなく、チューブ及びエア吹き出し口が安定する。濃縮酸素の吹き出し口が鼻の前にないので邪魔にならず煩わしくない。帽子の内側の頂点附近などノズルを任意の場所に装着することが出来る。
【発明を実施するための最良の形態】
【０００６】    以下本発明の実施の形態について説明する。
（イ）鍔つき野球帽の後部よりチューブを挿入し、帽子内側を通って顔前のひさしの内側      にエア吹き出し口がくるようにチューブを固定する。エア吹き出し口には色々の型      をしたノズルを着脱自在に設ける。ノズルにはエアが直接顔に当たるもの、当たら      ないもの、シヤワー状のエアがでるもの等数種考えられる。
（ロ）チューブには帽子の後部に簡単な継手を設けて他の帽子その他をチューブに接続出      来るようにする。チューブを切り離せば普通の帽子として使用できる。
（ハ）吹き出し口を帽子の内側頂点附近に固定して、空気がシャワー状に出るノズルを設      けると頭皮全体に高濃度の酸素刺激を与えることができる。
（ニ）金魚鉢用ノズル付きチューブを濃縮酸素発生装置に接続することもできる。
【図面の簡単な説明】
【０００７】
【図１】本発明の断面図
【符号の説明】
【０００８】１  チューブ
２  鍔付き帽子
３  ひさし
４  吹き出し口
５  ノズル
【図１】
2006299489.tif 000003
(57)【要約】【課題】本発明は、食器洗浄を行いながら高温洗浄を利用し手や腕を保護しつつ潤いを増す収納便利な吊りひも付き作業用手袋である。通常はゴム手袋着用でお湯（４０℃〜４２℃）で洗浄すると手や腕の荒れの原因になるが、防水手袋内部に布製手袋が装着しているため、手や腕のあれない作業用手袋で、収納管理できる吊りひも付作業用手袋を提供する。【手段】天然ゴム及び塩化ビニール樹脂の防水性の手袋の内部に通気性の良い布製手袋を設ける。高温（６０℃）で使用しても火傷のおそれもなく湿気を利用し手の潤いを保ち腕にも防水性手袋があたらないように布製手袋後端の布を防水手袋の後端におおうように折り返し部分を設ける。手袋収納管理のため吊りひもを設ける。【選択図】図１
2006299490.tif 000002
【特許請求の範囲】
【請求項１】
天然ゴム及び塩化ビニール樹脂の防水性の手袋の内部に繊維などの通気性の良い布製手袋を有し、内部の布製手袋の後端は防水性手袋の後端をおおうように折り返しを設けた収納便利な吊りひも付作業用手袋。
【請求項２】
布の折り返し部が腕の保護のために設けられている請求項１記載の吊りひも付き作業用手袋。
【請求項３】
請求項２記載の手袋の折り返し部分に収納時管理のための吊りひもが設けられている上記請求項１又は２に記載の吊りひも付作業用手袋。
【発明の詳細な説明】
【技術分野】
【０００１】  本発明は、炊事及び清掃等などに手や腕の保護するための手袋であって、手袋の収納を容易に管理できる吊りひも付作業用手袋に関するものである。
【背景技術】
【０００２】  従来、炊事や掃除を行う前に手あれを防ぐためにゴム手袋をつけることがなされている。この時、お湯を使用すると手あれを引起し、半袖着用していると腕のゴムがあたる所もあれてしまい、収納管理もなされていないことは知られている。
【特許文献１】２００５−６０９１５
【特許文献２】２００２−１３０１２
【特許文献３】２００３−２０１６０８
【発明の開示】
【発明が解決しようとする課題】
【０００３】  ゴム手袋を直接つけると次のような問題点があった。
油料理などの食器や調理器具は食器洗浄乾燥機などではまだまだ落ちにくく手作業で行うことが多く、通常（４０℃〜４２℃）お湯で洗浄する。
その時、直接ゴム手袋を装着すると手あれの原因になり、腕のゴムのあたる後端もあれの原因であり、作業終了後の手袋の収納管理もなされていない。
本発明は、以上の問題点を解決し、着脱の容易で手と腕を保護し作業を行いながら天然ゴム及び塩化ビニール樹脂の防水手袋と内部の布製手袋の通気性の性質を利用し、高温（６０℃）で使用した場合とくに、湿気で手の潤いを食器洗浄のつど与えられる手袋で、収納管理できる吊りひも付作業用手袋を提供する。
【課題を解決するための手段】
【０００４】  天然ゴム及び塩化ビニール樹脂の防水手袋の内部に通気性の良い繊維の布製手袋を設ける。防水性手袋の後端が腕にあたらないように、防水性手袋の後端を布製手袋の後端布でおおうように折り返す部分を設ける。炊事、清掃の作業修了時に収納できるように吊りひもを設ける。
本発明は、以上の構成よりなる着脱容易で手と腕のあれを防ぎ、収納便利な吊りひも付作業用手袋である。
【発明の効果】
【０００５】  本発明を使用する度に手、腕のあれを防ぐだけてはなく、潤いを与え作業の途中でも着脱が容易にできて、収納が便利にできる。
【発明を実施するための最良の形態】
【０００６】  以下、本発明の実施の形態を説明する。
（イ）  天然ゴム及び塩化ビニール樹脂の防水性の手袋（１）の内部に繊維などの通気性の良い布製手袋（２）を設ける。
（ロ）  天然ゴム及び塩化ビニール樹脂の防水性の手袋（１）の後端が腕（３）にあたらないように通気性のよい布製手袋の後端布を折り返す部分（４）を設ける。
（ハ）  繊維手袋折り返し部（４）にフックなどにかける吊りひも（５）を設ける。
本発明は以上の構成よりなる。
本発明を使用する場合は、ハンドクリーム等の栄養クリームをつけると効果的で高温（６０℃）で食器洗浄をおこなうことによって食器にも殺菌作用があり乾燥も早いため清潔であり、防水性の天然ゴム及び塩化ビニール樹脂の手袋（１）の後端部分に布製手袋の布が折り返し（４）てあるために手と腕を保護し、清掃等の作業にも着脱容易で、吊りひも（５）が付いているため収納の便利な吊りひも付作業用手袋である。
【図面の簡単な説明】
【０００７】
【図１】本発明の正面図
【図２】本発明の要部拡大の正面図
【図３】本発明の要部拡大の正面図
【符号の説明】
【０００８】（１）天然ゴム及び塩化ビニール樹脂の手袋、（２）布製手袋、（３）腕、（４）繊維手袋折り返し部、（５）吊りひも
【図１】
2006299490.tif 000003
【図２】
2006299490.tif 000004
【図３】
2006299490.tif 000005
(57)【要約】【課題】  柱梁接合部における応力の分散を図り、梁高を抑えることを目的とする。【解決手段】  柱と接合する第１の梁と、第１の梁と接合する第２の梁とで形成される柱から所定範囲内のエリアであって、柱周囲の一部エリアまたは四方のエリアに鉄筋入りコンクリート床板または板状鉄部材を配置して第１の梁と第２の梁間を接合して一体化し、第１の梁の応力を分散するようにしたものである。【選択図】        図１
2006299693.tif 000002
【特許請求の範囲】
【請求項１】
柱と接合する第１の梁と、第１の梁と接合する第２の梁とで形成される柱から所定範囲内のエリアであって、柱周囲の一部エリアまたは四方のエリアに鉄筋入りコンクリート床板または板状鉄部材を配置して第１の梁と第２の梁間を接合して一体化し、第１の梁の応力を分散するようにしたことを特徴とする柱梁接合方法。
【請求項２】
柱と接合する第１の梁と、
第１の梁と接合する第２の梁と、
第１の梁と第２の梁とで形成される柱から所定範囲内のエリアであって、柱周囲の一部エリアまたは四方のエリアに配置され、第１の梁と第２の梁間を接合して一体化する鉄筋入りコンクリート床板または板状鉄部材と、
から構成され、第１の梁の応力を分散するようにしたたことを特徴とする柱梁構造物。
【発明の詳細な説明】
【技術分野】
【０００１】
本発明は柱梁接合部における応力の分散を図るようにした柱梁接合方法及び柱梁構造物に関する。
【背景技術】
【０００２】
例えば、駅部線路上空に建設される人工地盤（柱梁構造物）は、基本的には図４に示すような鉄骨ラーメン構造になっている。図４において、鉄骨柱１には直交方向に鉄骨大梁２、３がそれぞれ接合され、これら大梁には鉄骨小梁４が接合され、これら梁の上に床が形成される。そして、鉄骨柱１を通して加えられる水平荷重は、図示する矢印で示すように大梁に集中的に伝達される。また、鉛直荷重も床を介して大梁に集中的に伝達される。
【発明の開示】
【発明が解決しようとする課題】
【０００３】
このように、従来の柱梁構造物は、大梁に応力が集中する。例えば、鉄道線路上空に設置する場合には、線路直角方向は、線路を跨ぐことからスパンが大きくなるため応力が集中する大梁の梁高を大きくしなければならない。そのため、柱梁構造物を増設する際には、既存上家等に支障し、新設する際には階高が大きくなり、工事費増大の一因にもなっている。
【課題を解決するための手段】
【０００４】
本発明は上記課題を解決しようとするもので、柱梁接合部における応力の分散を図り、梁高を抑えることを目的とする。
そのために本発明の柱梁接合方法は、柱と接合する第１の梁と、第１の梁と接合する第２の梁とで形成される柱から所定範囲内のエリアであって、柱周囲の一部エリアまたは四方のエリアに鉄筋入りコンクリート床板または板状鉄部材を配置して第１の梁と第２の梁間を接合して一体化し、第１の梁の応力を分散するようにしたことを特徴とする。
また、本発明の柱梁構造物は、柱と接合する第１の梁と、第１の梁と接合する第２の梁と、第１の梁と第２の梁とで形成される柱から所定範囲内のエリアであって、柱周囲の一部エリアまたは四方のエリアに配置され、第１の梁と第２の梁間を接合して一体化する鉄筋入りコンクリート床板または板状鉄部材とから構成され、第１の梁の応力を分散するようにしたたことを特徴とする。
【発明の効果】
【０００５】
本発明は、柱と接合する第１の梁と、第１の梁と接合する第２の梁とで形成される柱から所定範囲内のエリアに鉄筋入りコンクリート床板または板状鉄部材を配置して第１の梁と第２の梁間を接合して一体化したので、第１の梁の応力をコンクリート床板または板状鉄部材や第２の梁を利用して分散することができるため、梁高を抑えることが可能となる。
【発明を実施するための最良の形態】
【０００６】
以下、本発明の実施の形態について説明する。
図１は本実施形態の柱梁構造物を説明する図であり、図４と同一番号は同一内容を示している。
鉄骨柱１には直交方向に第１の梁である鉄骨大梁２、３がそれぞれ接合され、大梁には第２の梁である鉄骨小梁４が接合され、これら梁の上に床が形成されるのは従来と同じである。なお、大梁と小梁とは、例えば、図２に示すように、ピン接合（図２（ａ））、或いは剛接合（図２（ｂ））により接合する。ピン接合は、鉄骨大梁２のウエブに隅肉溶接したガセットプレート６と、鉄骨小梁のウエブ間にスプライスプレート７を渡して高力ボルト８で接合する。剛接合は、鉄骨大梁２のウエブに鉄骨小梁４のウエブを直接隅肉溶接し、鉄骨大梁２の上下フランジ部と鉄骨小梁とを突合せ溶接する。
【０００７】
このように接合した大梁と小梁間には、鉄骨柱１を囲む四隅に鉄筋入りコンクリート床板５を施工して一体化する。このような構造とすることにより、鉄骨柱に加えられる鉛直荷重や水平荷重は、図示するように、大梁から床板５を通して四方八方に分散され、小梁にも伝達されるので、従来のように、大梁に集中的に伝達されるのを防止することができ、大梁の梁高を抑えることができる。なお、上記説明では鉄筋入りコンクリート床板５は柱を囲む４隅に設けるようにしたが、例えば、柱が建物の隅になる場合などもあるので、柱が置かれる状況に応じて、床板５は柱の４隅に限らず、３隅、２隅、１隅に設けるようにする。
【０００８】
図３は柱の周囲に設置する鉄筋入りコンクリート床板の例を示す図である。
図３（ａ）は大梁２、３に小梁４を接合したものである。通常、図のｙ方向に応力を伝達する場合、鉄骨柱から鉄骨大梁２のみに応力が伝達されるが、鉄骨大梁３のねじれ剛性をあげることで、鉄骨大梁３にも応力を伝達させ、順次床板５や小梁にも応力を分散させるようにしている。
図３（ｂ）、図３（ｃ）は、建物の小梁を使用せずに、大梁に第２の梁として新たな梁１０を接合して鉄筋入りコンクリート床板５を設けている。柱梁接合部と鉄筋入りコンクリート床板を一体化させてユニット化し、工場生産とすることも可能である。このような構造とする場合、施工性を向上さることができる。
【０００９】
なお、上記の例では柱の周囲に鉄筋入りコンクリート床板を施工して応力の分散を図るようにしたが、本発明はこれに限定されるものではなく、例えば、リブ付き鉄板等の板状部材を使用したり、コンクリート床板とこれらを組み合わせて使用するなど様々な態様が可能である。
【産業上の利用可能性】
【００１０】
本発明によれば、柱梁接合において大梁の応力を分散することができ、梁高を抑えることが可能となるので、産業上の利用価値は極めて大きい。
【図面の簡単な説明】
【００１１】
【図１】本発明の柱梁接合方法を説明する図である。
【図２】梁の接合方法の例を示す図である。
【図３】柱梁接合方法の例を示す図である。
【図４】従来の接合方法を説明する図である。
【符号の説明】
【００１２】
１…鉄骨柱、２，３…鉄骨大梁、４…鉄骨小梁、５…鉄筋入りコンクリート床版、６…ガセットプレート、７…スプライスプレート、８…高力ボルト、１０…梁。
【図１】
2006299693.tif 000003
【図２】
2006299693.tif 000004
【図３】
2006299693.tif 000005
【図４】
2006299693.tif 000006
(57)【要約】【課題】瓦裏の瓦尻に瓦を葺く際、桟木に引掛ける引掛部を突設すると共に、瓦尻の表側に上記引掛部先端が嵌合可能な凹部を形成した平板瓦において、台車上に一定間隔で立てて自立させた状態で、台車ごと窯に入れて焼成する際、台車上での自立状態が安定し、台車の移動開始や停止時に倒れにくくする。【解決手段】平板瓦１１の瓦裏の瓦尻に瓦１１を葺く際、桟木に引掛ける略三角形の引掛部１２を瓦尻両側に突出形成すると共に、引掛部１２間に凹形の窪み１３を一対、一定間隔を存して形成する一方、瓦表の瓦尻に瓦１１を積重ねたとき、上記引掛部１２の先端部が嵌合可能な凹部１４を一対、引掛部１２に対応した箇所に形成すると共に、瓦表の水返し１５に上記窪み１３に嵌合可能な突部１６を一対、上記窪み１３に対応した箇所に形成する。【選択図】図４
2006299670.tif 000002
【特許請求の範囲】
【請求項１】
瓦裏の瓦尻に瓦を葺く際、桟木に引掛ける引掛部を突設すると共に、瓦尻の表側に上記引掛部先端が嵌合可能な凹部を形成した平板瓦において、瓦尻の表側の凹部より離れた箇所の水返しに突部を形成すると共に、瓦尻の裏側に上記突部が嵌合可能な窪みを形成したことを特徴とする平板瓦。
【請求項２】
上記突部が瓦尻から瓦頭に向かって瓦と平行に移動する真空吸引装置の吸着具の移動経路と干渉しない位置に形成されることを特徴とする請求項１記載の平板瓦。
【発明の詳細な説明】
【技術分野】
【０００１】
本発明は、コンクリート造りの建物、洋風の建築物等に用いられる平板瓦に関する。
【背景技術】
【０００２】
この種の平板瓦は、湾曲した通常の波板状をなす桟瓦と同様、プレス成形された粘土瓦を窯に入れて焼成することにより製造され、粘土瓦を窯に入れる際、波板状の桟瓦の場合は、台車上に一定間隔を置いて立てて載置され、台車ごと窯に入れて焼成される。波板状の桟瓦では立てて自立させたときの安定性があり、台車の移動開始や停止時に加速度が加わったときでも前後に倒れるおそれはないが、平板瓦の場合、立てて自立させたときの安定性が悪く、台車の移動開始時や停止時に立てた瓦が将棋倒しに倒れ易い。そこで従来、平板瓦を台車に載せて窯に入れる際には、台車上に瓦を一枚一枚仕切って縦向きに入れることができるケースを設置し、該ケースに平板瓦を一枚一枚差込んで入れたのち、窯に搬送していたが、この場合、平板瓦間のピッチが大となって、台車で一度に運べる瓦の枚数が少なくなり、生産性が低下すると共に、一枚の瓦を焼成するのに要するエネルギー原単位が上昇してコスト増をもたらす。この問題に対処し、平板瓦を桟瓦と同様、台車上に一定間隔を置いて立てて載置できるようにするため、下記特許文献１には、図１に示すように、瓦尻の裏側に瓦を葺く際に桟木を引掛ける略三角形の引掛部１を一対突設した平板瓦２が開示されている。
【特許文献１】特開２００１−３０４７７１号
【発明の開示】
【発明が解決しようとする課題】
【０００３】
特許文献１に開示される平板瓦によると、図２に示すように、引掛部１を設けることにより、瓦２の表面から引掛部先端までの間隔ａが広がって台車３に立てて並べたときの安定性が増し、瓦２が矢印方向に傾こうとすると、引掛部１が踏ん張って倒れにくくなっていることから、台車上に桟瓦と同様に立てておくことができ、そのため従来の平板瓦に比べ、生産性が向上し、瓦を焼成するのに必要な瓦１枚当りのエネルギー単位を向上させることができる。
【０００４】
本発明は、上述する平板瓦に改良を加え、瓦を台車上に立てて置いたときの安定性をより向上させることを目的とする。
【課題を解決するための手段】
【０００５】
請求項１に係る発明は、瓦裏の瓦尻に瓦を葺く際、桟木に引掛ける引掛部を突設すると共に、瓦尻の表側に上記引掛部先端が嵌合可能な凹部を形成した平板瓦において、瓦尻の表側の凹部より離れた箇所の水返しに突部を形成すると共に、瓦尻の裏側に上記突部が嵌合可能な窪みを形成したことを特徴とし、
請求項２に係る発明は、請求項１に係る発明における突部が瓦尻から瓦頭に向かって瓦と平行に移動する真空吸引装置の吸着具の移動経路と干渉しない位置に形成されることを特徴とする。
【発明の効果】
【０００６】
本発明の平板瓦によると、瓦の突部先端から引掛部先端までの間隔が図１に示す瓦表面から引掛部先端までの間隔ａより更に広がり、しかも瓦が後向きに倒れそうになると、引掛部が踏ん張り、前向きに倒れそうになると突部が踏ん張って、平板瓦を台車上に立てて自立させたときの安定性がより一層増すようになる。出荷等のため瓦を積み重ねて運搬するときには、上側の瓦の引掛部が下側の瓦の凹部に、また下側の瓦の突部が上側の瓦の窪みに嵌合することにより嵩張らず、積重ね状態が安定する。
【発明を実施するための最良の形態】
【０００７】
以下、本発明の実施形態の平板瓦について図面により説明する。
図３は、平板瓦を表側から見た図であり、図４は図３のＡ−Ａ線における断面を示すもので、瓦裏の瓦尻に瓦１１を葺く際、桟木に引掛ける略三角形の引掛部１２を瓦尻両側に突出形成すると共に、引掛部１２間に凹形の窪み１３を一対、一定間隔を存して形成する一方、瓦表の瓦尻に瓦１１を積重ねたとき、上記引掛部１２の先端部が嵌合可能な凹部１４を一対、引掛部１２に対応した箇所に形成すると共に、瓦表の水返し１５に上記窪み１３に嵌合可能な突部１６を一対、上記窪み１３に対応した箇所に形成している。
【０００８】
本実施形態の平板瓦によると、図４及び図５に示すように、引掛部先端と突部先端までの間隔ｄが図１に示す平板瓦に比べ、突部１６の高さｂ分だけ間隔が広くなること、瓦１１を立てたとき、後向き（実線の矢印方向）に倒れようとすると、引掛部１２が踏ん張り、前向き（点線の矢印方向）に倒れようとすると、突部１６が踏ん張って倒れにくくなり、瓦１１を台車上に立てて自立させたときの安定性が増す。また出荷時に瓦１１を積重ねて運搬するときには、引掛部１２を下側の瓦１１の凹部１４に、突部１６を上側に重ねる瓦の窪み１３に嵌合させることにより、嵩張らず、運搬時の瓦のずれが防止される。
【図面の簡単な説明】
【０００９】
【図１】従来の平板瓦の斜視図。
【図２】図１に示す従来の平板瓦を台車上に立てて並べた状態を示す図。
【図３】本発明に係る平板瓦の斜視図。
【図４】図３のＡ−Ａ線断面図。
【図５】図３に示す平板瓦を立てた状態を示す図。
【符号の説明】
【００１０】
１１・・平板瓦
１２・・引掛部
１３・・窪み
１４・・凹部
１５・・水返し
１６・・突部
【図１】
2006299670.tif 000003
【図２】
2006299670.tif 000004
【図３】
2006299670.tif 000005
【図４】
2006299670.tif 000006
【図５】
2006299670.tif 000007